(57)【特許請求の範囲】
【請求項１】
少なくとも半導体発光素子を有する光源部と、蓄電池部と、商用電源からの給電時に前記蓄電池部を充電する充電部と、前記商用電源の停電時に前記蓄電池部を電源として前記光源部を点灯制御する点灯制御部と、床面からの高さ情報を入力する入力部とを備え、前記点灯制御部は、前記入力部により入力された前記高さ情報に基づいて、前記床面の照度が少なくとも所定照度となるように前記光源部への供給電流を可変であることを特徴とする非常用照明器具。
【請求項２】
前記点灯制御部は、前記蓄電池部の容量に基づいて、前記停電時に前記光源部を少なくとも所定時間点灯させるように前記光源部への前記供給電流を制限することを特徴とする請求項１記載の非常用照明器具。
【請求項３】
前記点灯制御部は、前記入力部により入力された前記高さ情報に基づいて、前記蓄電池部の容量を調整するように前記充電部から前記蓄電池部への充電電流を可変であることを特徴とする請求項１または請求項２記載の非常用照明器具。
【発明の詳細な説明】
【技術分野】
【０００１】
本発明は、非常用照明器具に関するものである。
【背景技術】
【０００２】
従来から、商用電源からの給電時に蓄電池を充電し、商用電源の停電時に蓄電池を非常用の電源として光源を点灯させる非常用照明器具が知られている。
【０００３】
この種の非常用照明器具は、一般的に、光源としてハロゲンランプや蛍光ランプを用いており、蓄電池から光源に電力を供給するとき、特に蓄電池から光源への供給電流を制御することなく、蓄電池から光源に通電して光源を点灯させている。
【０００４】
また、従来から、光源として発光素子（発光ダイオード）を用いた非常用照明器具が提案されている（例えば、特許文献１）。特許文献１に開示された非常用照明器具は、図５に示すように、直列に接続された複数の発光ダイオード５０と、バッテリ５１と、複数の発光ダイオード５０を点灯制御する点灯ユニット５２と、器具の周囲温度を検知する周囲温度検知手段５３とを有している。なお、周囲温度検知手段５３は、器具の周囲温度に基づいて、複数の発光ダイオード５０の光出力を間接的に判断して検知する光出力検知手段５４としての機能を有している。
【０００５】
点灯ユニット５２は、商用電源からの電力供給時にバッテリ５１を充電し、商用電源からの電力遮断時にバッテリ５１を電源として複数の発光ダイオード５０を点灯させる充放電回路を備えている。また、点灯ユニット５２は、周囲温度検知手段５３の検知に基づいて、複数の発光ダイオード５０の光出力が予め決められた光出力となるように複数の発光ダイオード５０への点灯電流を制御する。
【先行技術文献】
【特許文献】
【０００６】
【特許文献１】特開２００６−２１０２３８号公報
【発明の概要】
【発明が解決しようとする課題】
【０００７】
ところで、非常用照明器具は、商用電源の停電時に、蓄電池により光源を所定時間（例えば、３０分間）点灯させ、器具直下から所定半径内の床面の水平面照度が１ルクス以上となるように規定されており（社団法人日本照明器具工業会規格「非常用照明器具技術基準（ＪＩＬ５５０１）」）、非常用照明器具の設置基準として、設置間隔を、上述の規定を満足するように設定しなければならない。
【０００８】
また、非常用照明器具の設置間隔は、設置場所の床面からの高さにより異なるので、設置場所の高さに応じて設定する必要があった。
【０００９】
本発明は上記事由に鑑みて為されたものであり、その目的は、床面からの高さに関わらず床面の照度を所定照度とすることが可能な非常用照明器具を提供することにある。
【課題を解決するための手段】
【００１０】
本発明の非常用照明器具は、少なくとも半導体発光素子を有する光源部と、蓄電池部と、商用電源からの給電時に前記蓄電池部を充電する充電部と、前記商用電源の停電時に前記蓄電池部を電源として前記光源部を点灯制御する点灯制御部と、床面からの高さ情報を入力する入力部とを備え、前記点灯制御部は、前記入力部により入力された前記高さ情報に基づいて、前記床面の照度が少なくとも所定照度となるように前記光源部への供給電流を可変であることを特徴とする。
【００１１】
この非常用照明器具において、前記点灯制御部は、前記蓄電池部の容量に基づいて、前記停電時に前記光源部を少なくとも所定時間点灯させるように前記光源部への前記供給電流を制限することが好ましい。
【００１２】
この非常用照明器具において、前記点灯制御部は、前記入力部により入力された前記高さ情報に基づいて、前記蓄電池部の容量を調整するように前記充電部から前記蓄電池部への充電電流を可変であることが好ましい。
【発明の効果】
【００１３】
本発明の非常用照明器具においては、床面からの高さに関わらず床面の照度を所定照度とすることが可能となる。
【図面の簡単な説明】
【００１４】
【図１】実施形態１の非常用照明器具に関し、（ａ）は概略構成図、（ｂ）は光源部の正面図である。
【図２】同上の非常用照明器具の使用例を説明する説明図である。
【図３】同上の非常用照明器具の回路構成図である。
【図４】同上の非常用照明器具において、供給電流を可変する方法を説明する説明図である。
【図５】従来例の非常用照明器具のブロック図である。
【発明を実施するための形態】
【００１５】
（実施形態１）
以下、本実施形態の非常用照明器具について、図１〜図４を参照しながら説明する。
【００１６】
本実施形態の非常用照明器具２０は、非常灯などの照明器具であって、例えば、造営材（図２では、天井材）４０に埋め込み配置されるものである。
【００１７】
非常用照明器具２０は、少なくともＬＥＤ８を有する光源部１と、ＬＥＤ８から放射された光を出射する出射部１１を有し光源部１を保持する器具本体１０と、蓄電池部２とを有している。なお、本実施形態の非常用照明器具２０では、ＬＥＤ８が半導体発光素子を構成している。
【００１８】
また、非常用照明器具２０は、商用電源からの給電時に蓄電池部２を充電する充電部６と、商用電源の停電時に蓄電池部２を電源として光源部１を点灯制御する点灯制御部３と、設置場所の床面３０（図２参照）からの高さ情報を入力する入力部７とを有している。なお、本実施形態では、上述の高さ情報として、床面３０から造営材４０の一面４０ａ（図２参照）までの高さ情報を用いて説明するが、これに限らず、例えば、床面３０から非常用照明器具２０までの高さ情報などを用いてもよい。
【００１９】
光源部１は、上述のＬＥＤ８と、このＬＥＤ８が実装される配線基板９とを有している。なお、光源部１は、ＬＥＤ８のみで構成してもよい。
【００２０】
ＬＥＤ８としては、例えば、青色光を放射するＬＥＤチップ（以下、青色ＬＥＤチップと称する）と、青色ＬＥＤチップから放射された青色光により励起されてブロードな黄色光を放射する黄色蛍光体からなる蛍光体とを組み合わせて白色光を得る白色ＬＥＤを用いることができる。このようなＬＥＤ８は、例えば、１個ないし複数個の青色ＬＥＤチップ（図示せず）と、この青色ＬＥＤチップが実装された実装基板８ａと、青色ＬＥＤチップを覆い黄色蛍光体を含有した第１の透光性材料（例えば、シリコーン樹脂、エポキシ樹脂、ガラスなど）からなる色変換部（図示せず）と、青色ＬＥＤチップおよび色変換部を封止した第２の透光性材料（例えば、シリコーン樹脂、エポキシ樹脂、ガラスなど）からなるドーム状の封止部８ｂとを有している。なお、ＬＥＤ８の蛍光体は、黄色蛍光体に限らず、例えば、赤色蛍光体と緑色蛍光体とを用いてもよい。また、ＬＥＤ８は、紫〜近紫外線を放射するＬＥＤチップと、赤色蛍光体、緑色蛍光体および青色蛍光体とを組み合わせて白色光を得る白色ＬＥＤを用いてもよい。さらに、ＬＥＤ８は、赤色光を放射するＬＥＤチップと緑色光を放射するＬＥＤチップと青色ＬＥＤチップとを組み合わせて白色光を得る白色ＬＥＤを用いてもよい。
【００２１】
配線基板９は、例えば、ガラスエポキシ樹脂などからなる絶縁性基材に適宜の導体パターン（図示せず）が形成されたプリント配線板により形成されており、平面視において円形状に形成されている（図１（ｂ）参照）。なお、本実施形態では、配線基板９としてプリント配線板を用いているが、これに限らず、例えば、金属ベースプリント配線板、セラミック基板などを用いてもよい。また、本実施形態では、配線基板９の外周形状を、平面視において円形状としているが、これに限らず、例えば、多角形状などであってもよい。
【００２２】
また、配線基板９におけるＬＥＤ８の実装側（図１（ａ）では、下側）には、ＬＥＤ８と電気的に接続可能な一対の端子部（図示せず）が、上記導体パターンの一部により形成されている。ここにおいて、ＬＥＤ８は、アノード電極が一対の端子部の一方に電気的に接続され、カソード電極が他方に電気的に接続されている。
【００２３】
また、配線基板９におけるＬＥＤ８の実装側には、ＬＥＤ８および各端子部以外の部位の大部分を覆う白色のレジスト層などからなる反射層（図示せず）が形成されている。これにより、本実施形態の非常用照明器具２０では、ＬＥＤ８から放射された光が配線基板９に吸収されるのを抑制することが可能となる。
【００２４】
また、配線基板９には、点灯制御部３から導出された一対の配線１２ａ，１２ｂを電気的に接続可能な接続部（図示せず）が設けられている。
【００２５】
器具本体１０は、合成樹脂材料（例えば、ポリブチレンテレフタレートなど）や金属材料（例えば、アルミニウム、ステンレスなど）で構成することができる。
【００２６】
また、器具本体１０は、下面開口した有底筒状（本実施形態では、有底円筒状）の本体部１０ａと、本体部１０ａの開口側（図１（ａ）では、下側）に配置された板状（本実施形態では、円板状）の保持体１０ｂとを有している。なお、本実施形態の非常用照明器具２０では、器具本体１０の内部に、蓄電池部２、点灯制御部３および入力部７の各々が配置されている。
【００２７】
保持体１０ｂの平面視における中央部には、光源部１の配線基板９の外周形状と略同じ形状に形成された開口孔（図示せず）が設けられている。また、保持体１０ｂは、上記開口孔に下方から挿入された光源部１の配線基板９を保持することが可能となっている。ここにおいて、本実施形態では、保持体１０ｂが光源部１の配線基板９を保持する構造として、例えば、配線基板９の外周端に、この配線基板９を保持体１０ｂに保持させるための保持片（図示せず）を設け、保持体１０ｂの上記開口孔の内周端に、配線基板９の上記保持片を保持する保持部（図示せず）を設けているが、保持体１０ｂが光源部１の配線基板９を保持する構造は、これに限るものではない。
【００２８】
出射部１１は、透光性材料（例えば、アクリル樹脂、ガラスなど）により形成されている。また、出射部１１は、光源部１の配線基板９が保持体１０ｂに保持された状態において、配線基板９におけるＬＥＤ８の実装側を覆うようにして保持体１０ｂに取り付けられている。なお、出射部１１は、例えば、ＬＥＤ８から放射される光の配光を制御可能なレンズとしての機能を有するようにしてもよい。
【００２９】
また、器具本体１０の本体部１０ａの底壁には、商用電源からの電源線１３を挿通する電源線挿通孔（図示せず）が貫設されている。ここにおいて、点灯制御部３は、上記電源線挿通孔に挿通された電源線１３を、着脱自在に電気的に接続可能な端子台（図示せず）を備えている。
【００３０】
また、器具本体１０の外周面には、この器具本体１０を造営材４０に形成された埋込孔４０ｂ（図２参照）に下方から挿入して造営材４０の一面４０ａに保持体１０ｂを当接させた状態で器具本体１０を造営材４０に固定するための固定金具（図示せず）が設けられている。これにより、本実施形態の非常用照明器具２０は、造営材４０に埋め込み配置することが可能となる。
【００３１】
蓄電池部２は、複数の蓄電池１５（図３参照）を電気的に直列接続して構成することができる。蓄電池１５としては、例えば、リチウムイオン電池を採用することができるが、特に限定するものではない。なお、本実施形態の非常用照明器具２０では、複数の蓄電池１５の電気的な接続関係を、直列接続としているが、これに限らず、例えば、並列接続としてもよいし、直列接続と並列接続とを組み合わせた接続としてもよい。また、本実施形態では、蓄電池部２を複数の蓄電池１５で構成しているが、蓄電池部２を１つの蓄電池１５で構成してもよい。ここにおいて、本実施形態の非常用照明器具２０では、想定される設置場所の高さに応じて蓄電池部２の容量が異なる様々な種類の非常用照明器具２０を予め用意しておき、設置場所の高さに応じて適宜選択するようにしてもよい。つまり、設置場所の高さが低い場合は、蓄電池部２の容量が小さな非常用照明器具２０を採用し、設置場所の高さが高い場合は、蓄電池部２の容量が大きな非常用照明器具２０を採用すればよい。これにより、本実施形態の非常用照明器具２０では、設置場所の高さが低い場合に蓄電池部２の小型化や低コスト化を図ることが可能となり、設置場所の高さが高い場合に蓄電池部２の長寿命化を図ることが可能となる。
【００３２】
また、蓄電池部２は、一対の電線１６ａ，１６ｂを介して充電部６と電気的に接続されている。
【００３３】
点灯制御部３は、光源部１のＬＥＤ８を点灯させる点灯部４（図３参照）と、充電部６および点灯部４を制御する制御部５（図３参照）とを備えている。なお、制御部５は、上記端子台と電気的に接続されている。
【００３４】
点灯部４は、例えば、図３に示すように、バイポーラ型のトランジスタであるスイッチング素子Ｑ１と、インダクタＬ１と、ダイオードＤ１とを有する降圧チョッパ回路で構成することができる。本実施形態の非常用照明器具２０では、スイッチング素子Ｑ１のコレクタが蓄電池部２のプラス側に接続され、ベースが制御部５と電気的に接続されて、エミッタがインダクタＬ１の一端側に接続されている。また、本実施形態では、ダイオードＤ１のカソード側がスイッチング素子Ｑ１のエミッタとインダクタＬ１の一端側との接続点に接続され、ダイオードＤ１のアノード側が蓄電池部２のマイナス側と光源部１のＬＥＤ８のカソード側との接続点に接続されている。さらに、本実施形態では、インダクタＬ１の他端側が、光源部１のＬＥＤ８のアノード側に接続されている。なお、図３では、充電部６を省略している。
【００３５】
制御部５は、例えば、マイクロコンピュータに適宜のプログラムを搭載することにより構成することができる。なお、制御部５は、入力部７により入力された上述の高さ情報を記憶する記憶部（図示せず）を備えている。
【００３６】
また、制御部５は、商用電源から上記端子台を介して電力が供給されると、充電部６が蓄電池部２を充電するように充電部６を制御する。これにより、本実施形態の非常用照明器具２０では、商用電源からの給電時に、充電部６が蓄電池部２を充電することが可能となる。
【００３７】
ここで、制御部５は、商用電源から上記端子台を介して供給される電力の低下により商用電源の停電を検出する停電検出部（図示せず）を備えている。また、制御部５は、上記停電検出部により商用電源の停電を検出すると、充電部６による蓄電池部２の充電を停止させた後に、点灯部４が蓄電池部２を電源として光源部１のＬＥＤ８を点灯させるように点灯部４を制御する。具合的に説明すると、制御部５は、上記停電検出部により商用電源の停電を検出すると、点灯部４のスイッチング素子Ｑ１をオンオフするための制御信号を点灯部４へ出力する。ここにおいて、点灯部４は、制御部５から出力された制御信号に基づいて、光源部１のＬＥＤ８を点灯させる。これにより、本実施形態の非常用照明器具２０では、商用電源の停電時に、蓄電池部２を非常用の電源として光源部１のＬＥＤ８を点灯させることが可能となる。
【００３８】
制御信号は、図４に示すように、周期Ｔ０の矩形波電圧信号からなるＰＷＭ信号であり、周期Ｔ０において、電圧がＶ１であるオン期間Ｔ１と、電圧が０であるオフ期間Ｔ２とで構成されている。つまり、制御部５は、制御信号の周期Ｔ０に対するオン期間Ｔ１の割合Ｔ１／Ｔ０（オンデューティ比）を変化させることによって、光源部１のＬＥＤ８の光出力の大きさを変化させることが可能となる。要するに、制御部５は、点灯部４から光源部１のＬＥＤ８に流れる供給電流Ｉ１を調整することが可能となっている。なお、本実施形態の非常用照明器具２０では、点灯部４から光源部１のＬＥＤ８に流れる供給電流Ｉ１を調整する方法として、制御信号のオンデューティ比を変化させる方法を用いているが、特に限定するものではない。
【００３９】
入力部７は、一対の接続線１７ａ，１７ｂを介して点灯制御部３の制御部５と電気的に接続されている。
【００４０】
また、入力部７は、例えば、制御部５の上記記憶部に予め設定された複数の高さ情報のうち１つの高さ情報を選択可能なディップスイッチからなる選択部（図示せず）を有している。この選択部は、器具本体１０の本体部１０ａの側壁から露出するように配置されている。本実施形態の非常用照明器具２０では、入力部７の選択部を、器具本体１０の本体部１０ａの側壁から露出するように配置しているが、器具本体１０の保持体１０ｂから露出するように配置してもよい。また、本実施形態では、入力部７が、上述のような選択部を有するようにしているが、これに限らず、例えば、施工者などが上述の高さ情報を直接入力するための数字キー（図示せず）や、施工者などが上述の高さ情報を入力するための外部端末（図示せず）に接続された接続ケーブル（図示せず）を着脱自在に接続可能なコネクタ部（図示せず）、リモコンなどの無線信号を受信可能な受信部（図示せず）、非常用照明器具２０から床面３０までの高さ（距離）を測定可能な距離センサ（図示せず）などを有するようにしてもよい。
【００４１】
ところで、本実施形態の非常用照明器具２０では、制御部５が、入力部７に入力された上述の高さ情報に基づいて、器具本体１０の鉛直下方から所定半径Ａ１（図２参照）内の床面３０の照度（水平面照度）が少なくとも所定照度（例えば、１ルクス）となるように、点灯部４から光源部１のＬＥＤ８に流れる供給電流Ｉ１を調整することが可能となっている。要するに、点灯制御部３は、入力部７により入力された上述の高さ情報に基づいて、床面３０の照度が少なくとも上記所定照度となるように光源部１への供給電流Ｉ１を可変することが可能となっている。具体的に説明すると、制御部５は、上記記憶部に予め設定された基準となる高さ情報よりも入力部７により入力された上述の高さ情報が大きい場合に、制御信号のオンデューティ比が大きくなるように変化させることによって、床面３０の照度が少なくとも上記所定照度となるように点灯部４から光源部１のＬＥＤ８に流れる供給電流Ｉ１を大きくすることができる。また、制御部５は、上記記憶部に予め設定された基準となる高さ情報よりも入力部７により入力された上述の高さ情報が小さい場合に、制御信号のオンデューティ比が小さくなるように変化させることによって、床面３０の照度が少なくとも上記所定照度となるように点灯部４から光源部１のＬＥＤ８に流れる供給電流Ｉ１を小さくすることができる。したがって、本実施形態の非常用照明器具２０では、点灯制御部３が、入力部７により入力された上述の高さ情報に基づいて、床面３０の照度が少なくとも上記所定照度となるように光源部１への供給電流Ｉ１を可変することが可能となる。
【００４２】
また、本実施形態の非常用照明器具２０では、点灯制御部３の動作を点検する点検スイッチ（図示せず）と、蓄電池部２の充電状態を表示する発光素子を有する充電モニタ（図示せず）とを備えることが望ましい。ここで、点検スイッチおよび充電モニタの各々は、点灯制御部３の制御部５と電気的に接続されている。また、制御部５は、充電部６を介して蓄電池部２の容量を検出することが可能となっている。また、点検スイッチおよび充電モニタの各々は、器具本体１０の保持体１０ｂから露出するように配置される。
【００４３】
以上説明した本実施形態の非常用照明器具２０では、点灯制御部３が、入力部７に入力された上述の高さ情報に基づいて、床面３０の照度が少なくとも上記所定照度となるように光源部１への供給電流Ｉ１を可変できるので、床面３０からの高さに関わらず床面３０の照度を上記所定照度とすることが可能となる。また、本実施形態の非常用照明器具２０では、床面３０からの高さに関わらず床面３０の照度を上記所定照度とすることができるので、非常用照明器具２０の設置間隔を容易に設定することが可能となる。さらに、本実施形態の非常用照明器具２０では、制御部５の上記記憶部に予め設定された基準となる高さ情報よりも入力部７により入力された上述の高さ情報が小さい場合、床面３０の照度が少なくとも上記所定照度となるように光源部１への供給電流Ｉ１を小さくすることができるので、商用電源の停電時における蓄電池部２の放電時間を長くすることが可能となり、より長い停電時間であっても光源部１のＬＥＤ８の点灯を維持させることが可能となる。
【００４４】
（実施形態２）
本実施形態の非常用照明器具２０の構成は実施形態１と同じであり、床面３０からの高さに関わらず商用電源の停電時に光源部１のＬＥＤ８を少なくとも所定時間点灯させるように光源部１への供給電流Ｉ１を制限する点が実施形態１と相違する。なお、実施形態１と同様の構成要素には同一の符号を付して説明を適宜省略する。
【００４５】
ところで、非常用照明器具は、蓄電池を規定の充電時間（例えば、４８時間）充電した後に、商用電源からの電力を遮断して蓄電池により光源を点灯させ、上記所定時間後（例えば、３７分後ないし７５分後）の蓄電池の放電電圧が、放電基準電圧以上であることが規定されている（社団法人日本照明器具工業会規格「非常用照明器具技術基準（ＪＩＬ５５０１）」）。
【００４６】
しかしながら、実施形態１の非常用照明器具２０では、設置場所の高さが高い場合に、床面３０の照度が少なくとも上記所定照度となるように光源部１への供給電流Ｉ１を大きくするので、蓄電池部２の放電電流が大きくなり、上述の規定を満足することが難しくなる場合が生じることが考えられる。
【００４７】
この課題に対して、点灯制御部３は、蓄電池部２の容量に基づいて、商用電源の停電時に光源部１のＬＥＤ８を少なくとも上記所定時間点灯させるように光源部１への供給電流Ｉ１を制限する。具体的に説明すると、制御部５は、蓄電池部２の容量に基づいて、点灯部４から光源部１のＬＥＤ８に流れる供給電流Ｉ１を調整する。ここで、制御部５の上記記憶部には、蓄電池部２の容量に基づいて、商用電源の停電時に光源部１のＬＥＤ８を少なくとも上記所定時間点灯させるようにするための第１の閾値が予め記憶されている。つまり、制御部５は、例えば、蓄電池部２の容量が第１の閾値以下である場合に、商用電源の停電時に光源部１のＬＥＤ８を少なくとも上記所定時間点灯させるように点灯部４から光源部１のＬＥＤ８に流れる供給電流Ｉ１を小さくする。
【００４８】
したがって、本実施形態の非常用照明器具２０では、点灯制御部３が、蓄電池部２の容量に基づいて、商用電源の停電時に光源部１のＬＥＤ８を少なくとも上記所定時間点灯させるように光源部１への供給電流Ｉ１を制限するので、床面３０からの高さに関わらず商用電源の停電時に光源部１のＬＥＤ８を少なくとも上記所定時間点灯させることが可能となる。
【００４９】
また、点灯制御部３は、蓄電池部２の容量に基づいて、商用電源の停電時に光源部１のＬＥＤ８を上記所定時間点灯させた後の蓄電池部２の放電電圧が上述の放電基準電圧以上となるように光源部１への供給電流Ｉ１を制限することが好ましい。具体的に説明すると、制御部５は、蓄電池部２の容量に基づいて、点灯部４から光源部１のＬＥＤ８に流れる供給電流Ｉ１を調整する。ここで、制御部５の上記記憶部には、蓄電池部２の容量に基づいて、商用電源の停電時に光源部１のＬＥＤ８を上記所定時間点灯させた後の蓄電池部２の放電電圧が上述の放電基準電圧以上となるようにするための第２の閾値が予め記憶されている。つまり、制御部５は、例えば、蓄電池部２の容量が第２の閾値以下である場合に、商用電源の停電時に光源部１のＬＥＤ８を上記所定時間点灯させた後の蓄電池部２の放電電圧が上述の放電基準電圧以上となるように点灯部４から光源部１のＬＥＤ８に流れる供給電流Ｉ１を小さくする。
【００５０】
したがって、本実施形態の非常用照明器具２０では、点灯制御部３が、蓄電池部２の容量に基づいて、商用電源の停電時に光源部１のＬＥＤ８を上記所定時間点灯させた後の蓄電池部２の放電電圧が上述の放電基準電圧以上となるように光源部１への供給電流Ｉ１を制限するので、床面３０からの高さに関わらず上述の規定を満足することが可能となる。
【００５１】
ここにおいて、本実施形態の非常用照明器具２０では、光源部１への供給電流Ｉ１を制限することにより床面３０の照度が１ルクス以上を満足できない設置場所の場合、床面３０の照度が１ルクス以上を満足するように、複数の非常用照明器具２０を用いて各非常用照明器具２０の設置間隔をそれぞれ設定すればよい。
【００５２】
（実施形態３）
本実施形態の非常用照明器具２０の構成は実施形態２と同じであり、蓄電池部２の容量を調整するように充電部６から蓄電池部２への充電電流を可変する点が実施形態２と相違する。なお、実施形態２と同様の構成要素には同一の符号を付して説明を適宜省略する。
【００５３】
ところで、実施形態２で説明したように、非常用照明器具は、蓄電池を上記充電時間充電した後に、商用電源からの電力を遮断して蓄電池により光源を点灯させ、上記所定時間後の蓄電池の放電電圧が、放電基準電圧以上であることが規定されている（社団法人日本照明器具工業会規格「非常用照明器具技術基準（ＪＩＬ５５０１）」）。本実施形態の非常用照明器具２０では、実施形態１と同様に、例えば、設置場所の高さが低い場合、床面３０の照度が少なくとも上記所定照度となるように光源部１への供給電流Ｉ１を小さくすることができるので、蓄電池部２の放電電流を小さくすることが可能となり、蓄電池部２の容量は、上述の規定を満足する容量であればよい。
【００５４】
ここで、点灯制御部３は、入力部７に入力された上述の高さ情報に基づいて、蓄電池部２の容量を調整するように充電部６から蓄電池部２への充電電流を可変する。具体的に説明すると、制御部５は、制御部５の上記記憶部に予め設定された基準となる高さ情報よりも入力部７により入力された上述の高さ情報が小さい場合に、蓄電池部２の容量が少なくなるように充電部６から蓄電池部２への充電電流を小さくする。また、制御部５は、制御部５の上記記憶部に予め設定された基準となる高さ情報よりも入力部７により入力された上述の高さ情報が大きい場合に、蓄電池部２の容量が多くなるように充電部６から蓄電池部２への充電電流を大きくする。ここにおいて、本実施形態の非常用照明器具２０では、充電部６から蓄電池部２への充電電流を可変する方法として、例えば、矩形波電圧信号からなるＰＷＭ信号のオンディーティ比を変化させる方法を用いているが、特に限定するものではない。
【００５５】
したがって、本実施形態の非常用照明器具２０では、点灯制御部３が、入力部７により入力された上述の高さ情報に基づいて蓄電池部２の容量を調整するように充電部６から蓄電池部２への充電電流を可変できるので、床面３０からの高さに応じて蓄電池部２の容量を調整することが可能となる。
【００５６】
また、点灯制御部３は、入力部７に入力された上述の高さ情報に基づいて、充電部６から蓄電池部２への充電電流を制限することが好ましい。具体的に説明すると、制御部５は、商用電源の停電時に光源部１のＬＥＤ８を上記所定時間点灯させた後の蓄電池部２の放電電圧が上述の放電基準電圧以上となるように充電部６から蓄電池部２への充電電流を調整する。ここで、制御部５の上記記憶部には、入力部７に入力された上述の高さ情報に基づいて、商用電源の停電時に光源部１のＬＥＤ８を上記所定時間点灯させた後の蓄電池部２の放電電圧が上述の放電基準電圧以上となるようにするための第３の閾値が予め記憶されている。つまり、制御部５は、例えば、入力部７に入力された上述の高さ情報が第３の閾値以下である場合に、商用電源の停電時に光源部１のＬＥＤ８を上記所定時間点灯させた後の蓄電池部２の放電電圧が上述の放電基準電圧以上となるように充電部６から蓄電池部２への充電電流を大きくする。したがって、本実施形態の非常用照明器具２０では、床面３０からの高さに関わらず、蓄電池部２の容量が上述の規定を満足するように過不足なく充電部６から蓄電池部２への充電電流を調整することが可能となる。また、本実施形態の非常用照明器具２０では、床面３０からの高さに関わらず、蓄電池部２の容量が上述の規定を満足するように過不足なく充電部６から蓄電池部２への充電電流を調整することができるので、充電部６からの発熱を抑制することが可能となり、器具本体１０内の温度上昇を抑制することができ、蓄電池部２の長寿命化を図ることが可能となる。さらに、本実施形態の非常用照明器具２０では、床面３０からの高さに関わらず、蓄電池部２の容量が上述の規定を満足するように過不足なく充電部６から蓄電池部２への充電電流を調整することができるので、非常用照明器具２０の消費電力化を図ることが可能となる。
【符号の説明】
【００５７】
１  光源部
２  蓄電池部
３  点灯制御部
６  充電部
７  入力部
８  ＬＥＤ（半導体発光素子）
２０  非常用照明器具
３０  床面
Ｉ１  供給電流
【図１】
0005799234.tif 000002
【図２】
0005799234.tif 000003
【図３】
0005799234.tif 000004
【図４】
0005799234.tif 000005
【図５】
0005799234.tif 000006